(57)【要約】      （修正有）【課題】前屈作業がしやすく腰部等への補整作用が保持される肩紐部を有するボディスーツを提供する。【解決手段】肩紐部７を有するボディスーツ１の上身部３の背面側に内側布８と外側布９を二重状に設け、外側布９の下端部を下身部４の腰部５に縫合せずにその外側に重ね合わせると共に、内側布８を両側の肩部を被覆せずに両側部を肩甲骨にそった湾曲形状の逆Ｔ字状として、その下部を下身部４の腰部５と縫合して腰部５からヒップ部６にわたって一体的に形成する。【選択図】図１
0003185091.tif 000002
【実用新案登録請求の範囲】
【請求項１】
肩紐部を有するボディスーツの上身部の背面側に内側布と外側布を二重状に設け、
上記上身部の外側布の下端部を下身部の腰部に縫合せずにその外側に重ね合わせ、
上記上身部の内側布を両側の肩部を被覆せずに両側部を肩甲骨にそった湾曲形状の逆Ｔ字状とし、その下部を下身部の腰部と縫合して腰部からヒップ部にわたって一体的に形成したことを特徴とする肩紐部を有するボディスーツ。
【請求項２】
上身部の外側布の両側部を下身部の腰部の背面側の両側部に縫合するとともに、この外側布の下端の両側部間を下身部の腰部に縫合せずに４〜６cmにわたってその外側に重ね合わせた請求項１に記載の肩紐部を有するボディスーツ。
【請求項３】
上身部の内側布をその両側部を肩甲骨にそった湾曲形状の逆Ｔ字状や逆Ｙ字状とし、その上端部を首部に、その下端部を下身部の腰部に縫合して腰部からヒップ部にわたって一体的に接続した請求項１または２に記載の肩紐部を有するボディスーツ。
【請求項４】
上身部の内側布を下身部の腰部の部材と一体的に裁断して腰部からヒップ部にわたって一体的に縫製した請求項１ないし３のいずれかに記載の肩紐部を有するボディスーツ。
【考案の詳細な説明】
【技術分野】
【０００１】
本考案は、衣類分野におけるインナー衣服に関し、特にファンデーション下着の肩紐部を有するボディスーツに関するものである。
【背景技術】
【０００２】
従来、ファンデーション下着には、ブラジャーやガードル、ボディスーツが知られている。そのボディスーツとしては、ブラジャー部とウエスト部とガードル部とからなり、一般にこれらを一体的に縫合して形成されている。
【０００３】
そして、ボディスーツの補整機能として、たとえば特許文献１、２のように肩紐部、ウエスト部、ガードル部の所定部を所要の弾性力のあるパワーネット等の伸縮性布地を適宜に立体裁断をして組み合せ、縫合して形成されている。
【先行技術文献】
【特許文献】
【０００４】
【特許文献１】特開２００２−８８５１６号公報
【特許文献２】特開２００３−２３９１０５号公報
【考案の開示】
【考案が解決しようとする課題】
【０００５】
このような補整機能を有するボディスーツを着用し、日常作業での腕を伸ばしたり、前かがみになったりする動作、特に前かがみの前屈運動をすると、ブラジャー部の後身頃側の肩部の肩甲骨部に引っ張り力が強く作用するものであった。そのため、ボディスーツの上身部の背中の後身頃と下身部の腰部とを縫合せずに、前屈作業をしやすくしたものが知られている。
【０００６】
しかし、このようなボディスーツを着用して前屈作業等をすると、前屈作業は楽なものの、上身部の背中の後身頃と下身部の腰部とを縫合していないために、上身部の背中の後身頃と下身部の腰部との間の腰部が開いた状態のままになり、体裁が悪いとともに、腰部等への補整作用が保持されなくなり、改善が望まれるものであった。
【課題を解決するための手段】
【０００７】
本考案は、上記のような点に鑑みたもので、上記の課題を解決するために、実用新案登録請求の範囲の請求項１のように、肩紐部を有するボディスーツの上身部の背面側に内側布と外側布を二重状に設け、上記上身部の外側布の下端部を下身部の腰部に縫合せずにその外側に重ね合わせ、上記上身部の内側布を両側の肩部を被覆せずに両側部を肩甲骨にそった湾曲形状の逆Ｔ字状とし、その下部を下身部の腰部と縫合して腰部からヒップ部にわたって一体的に形成したことを特徴とする肩紐部を有するボディスーツを提供するにある。
【０００８】
また、請求項２のように、上身部の外側布の両側部を下身部の腰部の背面側の両側部に縫合するとともに、この外側布の下端の両側部間を下身部の腰部に縫合せずに４〜６cmにわたってその外側に重ね合わせたことを特徴とする肩紐部を有するボディスーツを提供するにある。
【０００９】
さらに、請求項３のように、上身部の内側布をその両側部を肩甲骨にそった湾曲形状の逆Ｔ字状や逆Ｙ字状とし、その上端部を首部に、その下端部を下身部の腰部に縫合して腰部からヒップ部にわたって一体的に接続したことを特徴とする肩紐部を有するボディスーツを提供するにある。
【００１０】
さらにまた、請求項４のように、上身部の内側布を下身部の腰部の部材と一体的に裁断して腰部からヒップ部にわたって一体的に縫製したことを特徴とする肩紐部を有するボディスーツを提供するにある。
【考案の効果】
【００１１】
本考案にあっては、実用新案登録請求の範囲の請求項１に記載のように、肩紐部を有するボディスーツの上身部の背面側に内側布と外側布を二重状に設け、上記上身部の外側布の下端部を下身部の腰部に縫合せずにその外側に重ね合わせたことによって、肩部の肩甲骨部に過度な引っ張り力によって拘束されることなく、前屈作業等を自由に楽に行なうことができる。
【００１２】
そして、上記上身部の内側布を両側の肩部を被覆せずに両側部を肩甲骨にそった湾曲形状の逆Ｔ字状とし、その下部を下身部の腰部と縫合して腰部からヒップ部にわたって一体的に形成したことによって、肩部の肩甲骨部に過度な負荷がかからずに、前屈作業等を自由に楽に行なえて、上身部の外側布の下端部がずれ上がり、下身部の腰部側がずれ下がっても、腰部で開いた状態のままとならずに元に戻せ、着用性がよく、補正機能を保持できる。
【００１３】
また、請求項２のように、上身部の外側布の両側部を下身部の腰部の背面側の両側部に縫合するとともに、この外側布の下端の両側部間を下身部の腰部に縫合せずに４〜６cmにわたってその外側に重ね合わせたことによって、上記のように前屈作業等を自由に楽に行なうことができるとともに、上身部の外側布の下端部がずれ上がり、下身部の腰部側がずれ下がっても、腰部で開いた状態のままとならずに元に戻せ、着用性がよくて安定して前屈作業等ができ、補正機能を保持できる。
【００１４】
さらに、請求項３のように、上身部の内側布をその両側部を肩甲骨にそった湾曲形状の逆Ｔ字状や逆Ｙ字状とし、その上端部を首部に、その下端部を下身部の腰部に縫合して腰部からヒップ部にわたって一体的に接続したことによって、肩部の肩甲骨部に過度な負荷がかからなく、上身部の外側布の下端部がずれ上がり、下身部の腰部側がずれ下がっても、上記のように腰部で開いた状態のままとならずに元に戻せ、補正機能を保持できる。
【００１５】
さらにまた、請求項４のように、上身部の内側布を下身部の腰部の部材と一体的に裁断して腰部からヒップ部にわたって一体的に縫製したことによって、上身部の内側布を下身部の腰部の部材と一体に裁断して下身部の腰部からヒップ部にわたって一体的に縫製してボディスーツを形成することもできて、上記のように肩部の肩甲骨部に過度な負荷がかからなく、上身部の外側布の下端部がずれ上がり、下身部の腰部側がずれ下がっても、腰部で開いた状態のままとならずに元に戻せ、補正機能を保持できる。
【図面の簡単な説明】
【００１６】
【図１】本考案の一実施例のボディスーツの正面図（ａ）と背面図（ｂ）、
【図２】同上の電飾写真によるボディスーツの背面図、
【図３】同上の上身部の内側布、下身部の腰部、ヒップ部の説明用背面図（ａ）、上身部の外側布の説明用背面図（ｂ）および上身部の外側布、内側布、下身部の腰部、ヒップ部のボディスーツの構成説明用背面図（ｃ）、
【図４】同上の他の実施例の上身部の内側布部の背面図、
【図５】同上のさらに他の実施例の上身部の内側布、下身部の腰部、ヒップ部を一体化した説明用背面図。
【考案を実施するための形態】
【００１７】
本考案の肩紐部を有するボディスーツは、上身部の背面側に内側布と外側布を二重状に設け、上記上身部の外側布の下端部を下身部の腰部に縫合せずにその外側に重ね合わせ、上記上身部の内側布を両側の肩部を被覆せずに両側部を肩甲骨にそった湾曲形状の逆Ｔ字状とし、その下部を下身部の腰部と縫合して腰部からヒップ部にわたって一体的に形成したことを特徴としている。
【００１８】
ボディスーツ１は、図１（ａ）、（ｂ）、図２のようにブラジャー部２を有する上身部３と、下身部４の腰部５、ヒップ部６を一体的に形成していて、その上身部３には肩部に係止する左右一対の肩紐部７を一体的に設け、その上身部３の背面に内側布８と外側布９を二重状に重ね合わせて設けている。
【００１９】
そして、上記上身部３の背面の後身頃の内側布８は、図３（ａ）のように上側部の両側を肩部を被覆せずに肩甲骨にそった湾曲形状とし、左右一対の肩紐部７間の後部中央の首部に内側布８の上端部を縫合し、下身部４の腰部５の背面側の後身頃の上部に内側布８の下端部を一体的に縫合し、下身部４の腰部５からヒップ部６にわたって一体的に形成している。
【００２０】
上記上身部３の内側布８は、図１（ｂ）、図２、図３（ａ）のようにその両側部を肩甲骨にそった湾曲形状の逆Ｔ字状や、図４のように逆Ｙ字状等とし、上記したようにその上端部を肩紐部７間の首部に、その下端部を下身部４の腰部５の背面側の上部に一体的に縫合して接続するものとでき、肩部の肩甲骨部に負荷がかからなく、前屈作業等を楽にできるようにしている。なお、図５のように内側布８を下身部４の腰部５の所要の部材と一体的に裁断して縫製することもできる。
【００２１】
一方、上記上身部３の背面の外側布９は、図１（ｂ）、図２、図３（ｂ）のように左右一対の肩紐部７を一体的として背中を被覆する後身頃とし、その下端部を下身部４の腰部５の上部に縫合せずに、図２のように４〜６cmにわたって重ね合わせて配設し、その外側布９の両側部を下身部４の腰部５の両側部に縫合して、所要の補正機能を奏するようにして、前屈作業等を楽に行なうことができるようにしている。
【００２２】
図１（ｂ）、図３（ｃ）のように、上記外側布９の重ね合わせ部分Ｙとしては４〜６cm、特に５cm位が好ましい。４cmより少ないと元通り戻らなくなりやすく、６cmより多くても必要以上となって好ましくない。また、上記外側布９の下端部の無縫合部分の幅Ｘとしては、図１（ｂ）のように両肩の肩甲骨部に過度な力が負荷しないように肩幅の３分の２〜肩幅または腰部５の幅位とするのが好ましい。
【００２３】
上記したボディスーツ１は、公知のものと同様にブラジャー部２のカップ部１０はパッドを装着可能に不織布材等を使用して所定形状に立体裁断し縫合して所要の膨出形態とし、その他のブラジャー部２を有する上身部３、下身部４のウエスト部の腰部５、ガードル部のヒップ部６、肩紐部７についても、所要の伸縮性を有するパワーネット、サテンネット、２ウエイトリコット等の伸縮性生地を所定形状に立体裁断して組み合せて縫合し、腹部１１には所要形状の装飾用不伸縮生地等を重ね合せて縫合したり、まち部１２の裏面に不伸縮性生地を重ね合せて留め具１３を介して係脱可能に形成したりするなど、必要個所に高伸縮生地を重ね合せて縫製して所要のファンデーション機能を有するものとできる。さらに、必要により、所要個所にレース等の周縁飾りを縫合することができる。
【００２４】
上記では、腰部５が上部に位置するショートガードル状のボディスーツの一例を示したが、ロングガードル状のボディスーツ、着脱容易に前面や後面の所要部にファスナー等を設けたボディスーツとするなど、本考案の趣旨にもとづいて適宜の実施態様を採択することができる。
【実施例】
【００２５】
図１〜図３は、本考案の一実施例を示すもので、ボディスーツ１は、図１（ａ）、（ｂ）のようにブラジャー部２を有する上身部３と、下身部４の腰部５、ヒップ部６を一体的に結合していて、その上身部３には肩部に係止する肩紐部７を左右一対として設け、図２、図３（ａ）、（ｂ）、（ｃ）のように上身部３の背面には内側布８と外側布９を二重状に重ね合わせて設けている。
【００２６】
上記上身部３の背面の後身頃の内側布８は、所要のパワーネットの伸縮性布地で、図１（ｂ）、図２、図３（ａ）のように上側部を両側の肩部を被覆せずに、その両側部を肩甲骨にそった湾曲形状の逆Ｔ字状とし、左右一対の肩紐部７間の後部中央の首部に内側布８の細幅状とした上端部を縫合し、下身部４の腰部５の背面側の上部に内側布８の末広状とした下端部を縫合し、下身部４の腰部５からヒップ部６にわたって一体的に形成して肩部の肩甲骨部に負荷がかからなく、前屈作業等を楽にできるようにしている。
【００２７】
また、上身部３の背面の外側布９は、図１（ａ）、（ｂ）、図２、図３（ｂ）のように所要のパワーネットの伸縮性布地で肩紐部７を一体的に設けて背中を被覆する後身頃とし、その下端部を所要のパワーネットの伸縮性布地の下身部４の腰部５の背面側の上端部に一体的に縫合せずに、図１（ｂ）、図３（ｃ）のようにＹで示したほぼ５cmにわたって重ね合わせて配設し、その下端側を図１（ｂ）、図３（ｃ）のＸで示した肩幅のほぼ３分の２の幅の両側部を腰部５の両側部の所要のパワーネットの伸縮性布地の脇腹材１４に縫合して、前屈作業等を楽に行なうことができるようにしている。
【００２８】
上記したボディスーツ１は、たとえば、所要の各構成部品を所定形状に立体裁断をし、図３（ａ）のように上身部３の内側布８の下端部を腰部５とヒップ部６を一体的に縫合した下身部４の上端部に縫合して一体的とし、ついで図３（ｂ）のように裁断して縫合した外側布９に図３（ｃ）のように重ね合わせて形成することができる。
【００２９】
そのため、本考案のボディスーツ１を着用して家事作業をし、前屈作業等しても肩の動きに自由に追従して着用性がよいものであり、腰部５の背面側の上端部に縫合していない上身部３の背面の外側布９がずれ上がったり、腰部５の背面側の上端部がずれ下がっても、その内側に内側布８を腰部５からヒップ部６にわたって一体的に形成しているために元に戻せ、腰部部分で開いた状態のままとならずに、安定して補正機能を発揮できる。
【００３０】
特に、内側布８を図３（ａ）のようにその両側部を肩甲骨にそった湾曲形状の逆Ｔ字状としているため、前屈作業等をしても、肩の動きに自由に追従できて着用性が良好なものである。
【００３１】
図４は、本考案の他の実施例で、上記した所要のパワーネットの伸縮性布地の上身部３の背面の内側布８の下部を山形状に開口した逆Ｙ字状としたものである。このようにしても、同様の作用、効果を奏するようにでき、本考案の趣旨にもとづいて適宜な変形態様が実施できる。
【００３２】
図５は、本考案のさらに他の実施例で、上記した所要のパワーネットの伸縮性布地の上身部３の背面の内側布８を下身部４の腰部５の所要の腰部部材と一体的に裁断して縫製するようにしたものである。このように必要により、下身部４の腰部部材と一体的に形成して上記のように作用、効果を有するボディスーツ１を縫製することができる。
【００３３】
なお、上記したボディスーツ１は、ブラジャー部２のカップ部１０はパッドを装着可能に不織布材等を使用して所定形状に立体裁断し縫合して所要の膨出形態とし、その他のブラジャー部を有する上身部３、下身部４の腰部５、ヒップ部６等について、所要の伸縮性を有するパワーネット、サテンネット、２ウエイトリコット等の伸縮性生地や高伸縮生地を組み合せて縫合し、また重ね合せて縫製して所要のファンデーション機能を有するものとできるものである。
【産業上の利用可能性】
【００３４】
本考案は、ファンデーション下着のボディスーツに利用することができる。
【符号の説明】
【００３５】
１…ボディスーツ    ３…上身部      ４…腰部      ５…ヒップ部    ７…肩紐部    ８…内側布          ９…外側布
【図１】
0003185091.tif 000003
【図３】
0003185091.tif 000004
【図４】
0003185091.tif 000005
【図５】
0003185091.tif 000006
【図２】
0003185091.tif 000007